(57)【特許請求の範囲】
【請求項１】
ワイヤレス通信方法において、
１つ以上のチャネル条件を決定することと、
低いジオメトリのチャネル条件にしたがっている、ワイヤレス受信機におけるタイミングジッタの第１の標準偏差と周波数追跡ループまたは時間追跡ループの第１の時定数との間の第１の規定された関係、または、高いジオメトリのチャネル条件にしたがっている、タイミングジッタの第２の標準偏差と周波数追跡ループまたは時間追跡ループの第２の時定数との間の第２の規定された関係、のうちの１つとループ利得選択基準とに基づいて、前記ワイヤレス受信機における周波数追跡ループ利得または時間追跡ループ利得とチャネル条件との間の関係を決定することと、
前記決定した、前記周波数追跡ループ利得または前記時間追跡ループ利得とチャネル条件との間の関係、および、前記１つ以上のチャネル条件に基づいて、前記周波数追跡ループ利得または前記時間追跡ループ利得を自動的に調節することとを含み、
前記周波数追跡ループ利得および前記時間追跡ループ利得のそれぞれは、２の整数乗であり、前記周波数追跡ループ利得は、前記時間追跡ループ利得よりも１／４倍低く設定されているワイヤレス通信方法。
【請求項２】
前記１つ以上のチャネル条件は、パイロットチップのエネルギー対総受信エネルギーパラメータ（Ｅｃｐ／Ｉｏ）に部分的に基づいている請求項１記載の方法。
【請求項３】
前記１つ以上のチャネル条件は、信号対ノイズ比（ＳＮＲ）に基づいている請求項１記載の方法。
【請求項４】
前記１つ以上のチャネル条件は、パイロットエネルギー対ノイズプラス干渉比（Ｅｃｐ／Ｎｔ）に基づいている請求項１記載の方法。
【請求項５】
前記１つ以上のチャネル条件は、ダウンリンク電力、アップリンク電力、追跡ループエラー、または、ドップラーパラメータに基づいている請求項１記載の方法。
【請求項６】
前記自動的に調節することは、前記１つ以上のチャネル条件に部分的に基づいて、ステップ利得パラメータをインクリメント的に増加または減少させることをさらに含む請求項５記載の方法。
【請求項７】
復調器コンポーネントを用いて、前記周波数追跡ループ利得または前記時間追跡ループ利得を自動的に調節することをさらに含む請求項１記載の方法。
【請求項８】
サーチャーコンポーネントを用いて、前記周波数追跡ループ利得または前記時間追跡ループ利得を自動的に調節することをさらに含む請求項１記載の方法。
【請求項９】
レイク、イコライザ、または、フィンガーコンポーネントを用いて、前記周波数追跡ループ利得または前記時間追跡ループ利得を自動的に調節することをさらに含む請求項１記載の方法。
【請求項１０】
高いジオメトリ、低いジオメトリ、または、静止を含む動作条件を解析し、前記動作条件を考慮して、レイクまたはイコライザにおける利得を最適化することをさらに含む請求項１記載の方法。
【請求項１１】
チャネルステータスインジケータ（ＣＳＩ）を解析して、複数入力複数出力（ＭＩＭＯ）システムに対するフィードバックレートを最適化することをさらに含む請求項１０記載の方法。
【請求項１２】
ジオメトリ条件を解析して、最適な時間追跡ループ利得を決定することをさらに含む請求項１記載の方法。
【請求項１３】
ジオメトリ条件を解析して、最適な周波数追跡ループ利得を決定することをさらに含む請求項１２記載の方法。
【請求項１４】
前記時間追跡ループを調節して、レイクタイミング変動を緩和すること、または、前記周波数追跡ループを調節して、チャネルインパルス応答（ＣＩＲ）を最適化することをさらに含む請求項１記載の方法。
【請求項１５】
前記低いジオメトリのチャネル条件にしたがっている第１の時定数、または、前記高いジオメトリのチャネル条件にしたがっている第２の時定数のうちの少なくとも１つを外挿または内挿して、前記ワイヤレス受信機の動作ジオメトリをカバーする少なくとも１つの対応する時定数を取得することをさらに含む請求項１記載の方法。
【請求項１６】
前記低いジオメトリのチャネル条件または前記高いジオメトリのチャネル条件のうちの少なくとも１つにしたがっている、前記周波数追跡ループ利得または前記時間追跡ループ利得を外挿または内挿して、前記ワイヤレス受信機の動作ジオメトリをカバーする対応するループ利得を取得することをさらに含む請求項１記載の方法。
【請求項１７】
通信装置において、
１つ以上のチャネル条件を処理するための命令と、
低いジオメトリのチャネル条件にしたがっている、ワイヤレス受信機におけるタイミングジッタの第１の標準偏差と周波数追跡ループまたは時間追跡ループの第１の時定数との間の第１の規定された関係、または、高いジオメトリのチャネル条件にしたがっている、タイミングジッタの第２の標準偏差と周波数追跡ループまたは時間追跡ループの第２の時定数との間の第２の規定された関係、のうちの１つとループ利得選択基準とに基づいて、前記ワイヤレス受信機における周波数追跡ループ利得または時間追跡ループ利得とチャネル条件との間の関係を決定するための命令と、
前記決定した、前記周波数追跡ループ利得または前記時間追跡ループ利得とチャネル条件との間の関係、および、前記１つ以上のチャネル条件に基づいて、前記周波数追跡ループ利得または前記時間追跡ループ利得を動的に調節するための命令とを保持するメモリと、
前記命令を実行するプロセッサとを具備し、
前記周波数追跡ループ利得および前記時間追跡ループ利得のそれぞれは、２の整数乗であり、前記周波数追跡ループ利得は、前記時間追跡ループ利得よりも１／４倍低く設定されている通信装置。
【請求項１８】
前記１つ以上のチャネル条件は、パイロットチップのエネルギー対総受信エネルギーパラメータ（Ｅｃｐ／Ｉｏ）、信号対ノイズ比（ＳＮＲ）、または、パイロットエネルギー対ノイズプラス干渉比（Ｅｃｐ／Ｎｔ）に部分的に基づいている請求項１７記載の通信装置。
【請求項１９】
前記１つ以上のチャネル条件は、ダウンリンク電力、アップリンク電力、追跡ループエラー、または、ドップラーパラメータに基づいている請求項１７記載の通信装置。
【請求項２０】
前記１つ以上のチャネル条件に部分的に基づいて、ステップ利得パラメータをインクリメント的に増加または減少させるための命令をさらに含む請求項１９記載の通信装置。
【請求項２１】
復調器コンポーネント、サーチャーコンポーネント、レイク、イコライザ、または、フィンガーコンポーネントを用いて、前記周波数追跡ループ利得または前記時間追跡ループ利得を自動的に調節するための命令をさらに含む請求項１７記載の通信装置。
【請求項２２】
高いジオメトリ、低いジオメトリ、または、静止を含む動作条件を解析し、前記動作条件を考慮して、レイクまたはイコライザにおける利得を最適化するための命令をさらに含む請求項１７記載の通信装置。
【請求項２３】
チャネルステータスインジケータ（ＣＳＩ）を解析して、複数入力複数出力（ＭＩＭＯ）システムに対するフィードバックレートを最適化するための命令をさらに含む請求項２２記載の通信装置。
【請求項２４】
前記１つ以上のチャネル条件を解析して、最適な時間追跡ループ利得または最適な周波数追跡ループ利得を決定するための命令をさらに含む請求項１７記載の通信装置。
【請求項２５】
前記時間追跡ループを調節して、レイクタイミング変動を緩和するための、または、前記周波数追跡ループを調節して、チャネルインパルス応答（ＣＩＲ）を最適化するための命令をさらに含む請求項１７記載の通信装置。
【請求項２６】
通信装置において、
１つ以上のチャネル条件を決定する手段と、
低いジオメトリのチャネル条件にしたがっている、ワイヤレス受信機におけるタイミングジッタの第１の標準偏差と周波数追跡ループまたは時間追跡ループの第１の時定数との間の第１の規定された関係、または、高いジオメトリのチャネル条件にしたがっている、タイミングジッタの第２の標準偏差と周波数追跡ループまたは時間追跡ループの第２の時定数との間の第２の規定された関係、のうちの１つとループ利得選択基準とに基づいて、前記ワイヤレス受信機における周波数追跡ループ利得または時間追跡ループ利得とチャネル条件との間の関係を決定する手段と、
前記決定した、前記周波数追跡ループ利得または前記時間追跡ループ利得とチャネル条件との間の関係、および、前記１つ以上のチャネル条件に基づいて、前記周波数追跡ループ利得または前記時間追跡ループ利得を選択する手段とを具備し、
前記周波数追跡ループ利得および前記時間追跡ループ利得のそれぞれは、２の整数乗であり、前記周波数追跡ループ利得は、前記時間追跡ループ利得よりも１／４倍低く設定されている通信装置。
【請求項２７】
前記１つ以上のチャネル条件は、パイロットチップのエネルギー対総受信エネルギーパラメータ（Ｅｃｐ／Ｉｏ）、信号対ノイズ比（ＳＮＲ）、または、パイロットエネルギー対ノイズプラス干渉比（Ｅｃｐ／Ｎｔ）に部分的に基づいている請求項２６記載の通信装置。
【請求項２８】
前記低いジオメトリのチャネル条件にしたがっている第１の時定数、または、前記高いジオメトリのチャネル条件にしたがっている第２の時定数のうちの少なくとも１つを外挿または内挿して、前記ワイヤレス受信機の動作ジオメトリをカバーする少なくとも１つの対応する時定数を取得する手段をさらに具備する請求項２６記載の通信装置。
【請求項２９】
前記低いジオメトリのチャネル条件または前記高いジオメトリのチャネル条件のうちの少なくとも１つにしたがっている、前記周波数追跡ループ利得または前記時間追跡ループ利得を外挿または内挿して、前記ワイヤレス受信機の動作ジオメトリをカバーする対応するループ利得を取得する手段をさらに具備する請求項２６記載の通信装置。
【請求項３０】
適応ステップ制御のためのコードを含むコンピュータ読取可能記憶媒体において、
前記コードは、
コンピュータに、１つ以上のチャネル条件を処理させるためのコードと、
前記コンピュータに、低いジオメトリのチャネル条件にしたがっている、ワイヤレス受信機におけるタイミングジッタの第１の標準偏差と周波数追跡ループまたは時間追跡ループの第１の時定数との間の第１の規定された関係、または、高いジオメトリのチャネル条件にしたがっている、タイミングジッタの第２の標準偏差と周波数追跡ループまたは時間追跡ループの第２の時定数との間の第２の規定された関係、のうちの１つとループ利得選択基準とに基づいて、前記ワイヤレス受信機における周波数追跡ループ利得または時間追跡ループ利得とチャネル条件との間の関係を決定させるためのコードと、
前記コンピュータに、前記決定させた、前記周波数追跡ループ利得または前記時間追跡ループ利得とチャネル条件との間の関係、および、前記１つ以上のチャネル条件に基づいて、前記周波数追跡ループ利得または前記時間追跡ループ利得を調整させるためのコードとを含み、
前記周波数追跡ループ利得および前記時間追跡ループ利得のそれぞれは、２の整数乗であり、前記周波数追跡ループ利得は、前記時間追跡ループ利得よりも１／４倍低く設定されているコンピュータ読取可能記憶媒体。
【請求項３１】
前記１つ以上のチャネル条件は、パイロットチップのエネルギー対総受信エネルギーパラメータ（Ｅｃｐ／Ｉｏ）、信号対ノイズ比（ＳＮＲ）、または、パイロットエネルギー対ノイズプラス干渉比（Ｅｃｐ／Ｎｔ）に部分的に基づいている請求項３０記載のコンピュータ読取可能記憶媒体。
【請求項３２】
通信装置において、
ワイヤレス通信からの１つ以上のチャネル条件を決定する復調器コンポーネントと、
前記１つ以上のチャネル条件にしたがって、時間追跡パラメータまたは周波数エラーパラメータを解析するフィンガーコンポーネントと、
低いジオメトリのチャネル条件にしたがっている、ワイヤレス受信機におけるタイミングジッタの第１の標準偏差と周波数追跡ループまたは時間追跡ループの第１の時定数との間の第１の規定された関係、または、高いジオメトリのチャネル条件にしたがっている、タイミングジッタの第２の標準偏差と周波数追跡ループまたは時間追跡ループの第２の時定数との間の第２の規定された関係、のうちの１つとループ利得選択基準とに基づいて、前記ワイヤレス受信機における周波数追跡ループ利得または時間追跡ループ利得とチャネル条件との間の関係を決定し、前記決定した、前記周波数追跡ループ利得または前記時間追跡ループ利得とチャネル条件との間の関係、および、前記１つ以上のチャネル条件に基づいて、前記周波数追跡ループ利得または前記時間追跡ループ利得を自動的に調節する共通パイロットプロセッサとを具備し、
前記周波数追跡ループ利得および前記時間追跡ループ利得のそれぞれは、２の整数乗であり、前記周波数追跡ループ利得は、前記時間追跡ループ利得よりも１／４倍低く設定されている通信装置。
【請求項３３】
前記共通パイロットプロセッサは、モデムデジタル信号プロセッサ（ＭＤＳＰ）に動作可能に結合され、前記ＭＤＳＰは、復調、チャネル品質推定、または、フィンガー管理を可能にする請求項３２記載の通信装置。
【請求項３４】
前記ワイヤレス受信機における前記周波数追跡ループ利得または前記時間追跡ループ利得を前記共通パイロットプロセッサとともに調節するサーチャーコンポーネントをさらに具備する請求項３２記載の通信装置。
【請求項３５】
無線周波数（ＲＦ）プロセッサ、低ノイズ増幅器、自動化利得制御、送信機コンポーネント、または、前記ワイヤレス受信機における前記周波数追跡ループ利得または前記時間追跡ループ利得を調節する汎用プロセッサをさらに具備する請求項３２記載の通信装置。
【請求項３６】
前記共通パイロットプロセッサは、前記低いジオメトリのチャネル条件にしたがっている第１の時定数、または、前記高いジオメトリのチャネル条件にしたがっている第２の時定数のうちの少なくとも１つを外挿または内挿して、前記ワイヤレス受信機の動作ジオメトリをカバーする少なくとも１つの対応する時定数を取得するように構成されている請求項３２記載の通信装置。
【請求項３７】
前記共通パイロットプロセッサは、前記低いジオメトリのチャネル条件または前記高いジオメトリのチャネル条件のうちの少なくとも１つにしたがっている、前記周波数追跡ループ利得または前記時間追跡ループ利得を外挿または内挿して、前記ワイヤレス受信機の動作ジオメトリをカバーする対応するループ利得を取得するように構成されている請求項３２記載の通信装置。
【発明の詳細な説明】
【優先権の主張】
【０００１】
本出願は、２００９年３月１０日に出願され、“時間追跡ループおよび周波数追跡ループに対する適応追跡ステップ”と題する、米国仮特許出願第６１／１５８，８３６号の利益を主張し、そのすべてが、参照によりここに組み込まれている。
【背景】
【０００２】
１．分野
以下の説明は、一般的に、ワイヤレス通信システムに関し、さらに詳細には、ワイヤレス通信システムにおける、時間追跡および周波数追跡に対する適応制御のための方法に関する。
【０００３】
２．背景
ワイヤレス通信システムは、音声、データ等のようなさまざまなタイプの通信コンテンツを提供するために、幅広く展開されている。これらのシステムは、利用可能なシステムリソース（例えば、帯域幅および送信電力）を共有することにより、複数のユーザとの通信をサポートすることが可能である多元接続システムであってもよい。このような多元接続システムの例には、コード分割多元接続（ＣＤＭＡ）システムと、時分割多元接続（ＴＤＭＡ）システムと、周波数分割多元接続（ＦＤＭＡ）システムと、Ｅ−ＵＴＲＡを含む３ＧＰＰロングタームエボリューション（ＬＴＥ）システムと、直交周波数分割多元接続（ＯＦＤＭＡ）システムとが含まれる。
【０００４】
直交周波数分割多重化（ＯＦＤＭ）通信システムは、システム帯域幅全体を複数（ＮF）の副搬送波へと効果的に区分する。副搬送波は、周波数サブチャネル、トーン、または、周波数ビンとしても呼ぶことがある。ＯＦＤＭシステムに対しては、送信されることになるデータ（すなわち、情報ビット）を特定のコーディングスキームで初めにエンコードして、コード化したビットを発生させ、コード化したビットをさらにマルチビットシンボルにグループ化し、マルチビットシンボルを、その後、変調シンボルにマッピングする。各変調シンボルは、データ送信に対して使用される特定の変調スキーム（例えば、Ｍ−ＰＳＫまたはＭ−ＱＡＭ）により規定される信号配列中のポイントに対応している。各周波数副搬送波の帯域幅に依存することがある各時間間隔において、周波数副搬送波のそれぞれ上で、変調シンボルを送信してもよい。したがって、ＯＦＤＭを使用して、システム帯域幅にわたって異なる量の減衰により特徴付けられる周波数選択フェーディングにより生じるシンボル間干渉（ＩＳＩ）を抑制してもよい。
【０００５】
一般的に、ワイヤレス多元接続通信システムは、フォワードリンク上およびリバースリンク上の送信を通して１つ以上の基地局と通信する複数のワイヤレス端末に対する通信を同時にサポートすることができる。フォワードリンク（または、ダウンリンク）は、基地局から端末への通信リンクのことを指し、リバースリンク（または、アップリンク）は、端末から基地局への通信リンクのことを指す。この通信リンクは、単一入力単一出力、複数入力単一出力、または、複数入力複数出力（ＭＩＭＯ）のシステムを通して確立してもよい。
【０００６】
前述のシステムおよびプロトコルは、条件の極端な変化を受けることが多い。このような条件は、都市の一部分において条件が理想的であり、ビルの後ろを移動しているときに、条件が不良になることがある“市街地の谷間”シチュエーションを含む。これらのシステムの多くでは、固定の追跡利得または最適でない追跡利得を追跡ループに対して使用していた。固定追跡での問題は、時間追跡および／または周波数追跡が、市街地の谷間に対しては非常に低速であるか、あるいは、例えば、高いジオメトリで、高低線／見通し線の静的なインターネット接続に対しては、非常に高速で過敏であるかのいずれかであることである。したがって、単一の追跡ステップ／利得は、いずれのケースに対しても最適ではない。次善の解決法は、音声接続に対しては可能であるが、インターネット（例えば、ストリーミング、ダウンロード）接続に対しては、明らかに実現されない容量の利得を推進することがある。レガシーの周波数追跡ループ／時間追跡ループ（ＦＴＬ／ＴＴＬ）構造は、チャネル条件にかかわらず、固定ループ利得を用いる。しかしながら、このループ利得は、非常に低いジオメトリの最悪のケースに対して設計されていた。高いジオメトリにおいて、または、良好な信号条件において、最悪のケースに対するループ利得のこのような固定の設定は、このような条件に対して最適ではない。
【概要】
【０００７】
以下のものは、クレームされている主題事項のいくつかの態様の基本的な理解を提供するために、簡略化した概要を提示する。この概要は、広範囲にわたる概略ではなく、キーエレメント／重要なエレメントを識別すること、または、クレームされている主題事項の範囲を詳細に述べることを意図していない。この唯一の目的は、後に提示するさらに詳細な説明に対する前置きとして、いくつかの概念を簡略化した形態で提示することである。
【０００８】
システムおよび方法は、ワイヤレス通信機器における時間追跡ループおよび周波数追跡ループに対する適応追跡ステップを提供する。信号条件を自動的に解析して、デバイスの所定のロケーションに対する現在の信号品質を決定する。例えば、デバイスが、所定の高いジオメトリロケーションにあり、時間ループまたは周波数ループに対するそれぞれの追跡利得を自動的に減少させることができることを決定してもよい。信号条件が不良であるとして検出した、低いジオメトリのシチュエーションでは、時間ループ利得または周波数ループ利得を自動的に増加させることができる。検出した条件に対するこのような適応調節は、適応ステップ制御を通して、スムーズでインクリメント的な方法で制御される。このタイプの制御により、オーバーシュート（例えば、所望の利得ポジションを通り過ぎること）を最小化し、検出した条件を考慮してワイヤレス受信機を最適化しながら、検出した条件に対して時間ループ利得または周波数ループ利得を自動的に追跡することが可能になる。
【０００９】
先の目的および関連する目的を達成するために、ここでは、以下の説明および添付の図面に関連して、ある例示的な態様を説明する。しかしながら、これらの態様は、クレームされている主題事項の原理が用いられてもよいさまざまな方法のうちのほんの少しのものであることを示し、クレームされている主題事項は、このようなすべての態様とそれらの均等物とを含むように意図されている。図面とともに考えるときに、他の利点および新規の特徴が以下の詳細な説明から明らかになるかもしれない。
【図面の簡単な説明】
【００１０】
【図１】図１は、ワイヤレス通信ネットワークにおいて、時間追跡ループおよび周波数追跡ループに対する適応追跡を提供するシステムの高レベルブロックダイヤグラムである。
【図２】図２は、ワイヤレスシステムに対して適応追跡を用いることができる例示的な回路の高レベルブロックダイヤグラムである。
【図３】図３は、ワイヤレスシステムに対して適応追跡を用いることができる代替的な例示的な回路の高レベルブロックダイヤグラムである。
【図４】図４は、適応追跡ステップをどのように選択し、決定することができるかを示したグラフを示している。
【図５】図５は、適応追跡ステップをどのように選択し、決定することができるかを示したグラフを示している。
【図６】図６は、適応追跡ステップをどのように選択し、決定することができるかを示したグラフを示している。
【図７】図７は、適応追跡ステップをどのように選択し、決定することができるかを示したグラフを示している。
【図８】図８は、適応追跡を用いる例示的な通信装置を示している。
【図９】図９は、適応追跡を用いる多元接続ワイヤレス通信システムを示している。
【図１０】図１０は、適応追跡を用いる例示的な通信システムを示している。
【図１１】図１１は、適応追跡を用いる例示的な通信システムを示している。
【図１２】図１２は、ワイヤレス通信システムに対する自動化された適応追跡のフローダイヤグラムである。
【図１３】図１３は、適応追跡に対する例示的な論理モジュールを示している。
【図１４】図１４は、ワイヤレス通信システムにおける時間追跡ループ利得および周波数追跡ループ利得を設定するための方法を示している。
【詳細な説明】
【００１１】
ワイヤレス通信を促進するためのシステムおよび方法が提供されている。１つの態様では、ワイヤレス通信方法が提供されている。方法は、ワイヤレス通信からの１つ以上のチャネル条件パラメータを解析することと、チャネル条件パラメータを考慮して、周波数追跡ループ利得または時間追跡ループ利得を自動的に調節することとを含む。チャネル条件パラメータは、例えば、パイロットチップのエネルギー対ノイズおよび総干渉パラメータ（Ｅｃｐ／Ｎｔ）に基づくことができる。
【００１２】
ここで説明する１つ以上の例示的な実施形態では、説明する機能は、ハードウェアで、ソフトウェアで、ファームウェアで、または、これらのものを組み合わせた任意のもので実現してもよいことに留意されたい。ソフトウェアで実現した場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの移送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝えるまたは記憶するために使用できる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、および、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）は、データをレーザによって光学的に再生する。先のものを組み合わせたものもまた、コンピュータ読取可能媒体の範囲内に含められるべきである。
【００１３】
ここで図１を参照すると、システム１００は、ワイヤレス通信ネットワーク１１０のための時間追跡ループおよび周波数追跡ループに対する適応追跡を提供する。システム１００は、（ノード、エボルブドノードＢ−ｅＮＢ、サービングｅＮＢ、ターゲットｅＮＢ、フェムト局、ピコ局としても呼ばれる）１つ以上の基地局１２０を含んでおり、基地局１２０は、ワイヤレスネットワーク１１０を通してさまざまなデバイス１３０に対する通信が可能なエンティティとすることができる。例えば、各デバイス１３０は、（端末、ユーザ機器、移動性管理エンティティ（ＭＭＥ）、または、移動体デバイスとしても呼ばれる）アクセス端末とすることができる。デバイス１３０は、適応追跡コンポーネント１４０（または複数のコンポーネント）を含むことができ、適応追跡コンポーネント１４０（または複数のコンポーネント）は、ジオメトリパラメータまたはチャネル条件１５０を解析して、受信したワイヤレス信号における変動性に対する自動化されたステップ調節を促進する。ユーザ機器１３０は、ロケーションにおけるジオメトリ条件１５４と、１つのロケーションから別のロケーションへ機器が動く間のジオメトリ条件１５４とを解析することができる。示されていないが、基地局１２０（または、ネットワーク１００上の他のワイヤレスノード）も、適応追跡を含むことができることに留意されたい。示されているように、基地局１２０は、ダウンリンク１６０を通して局１３０に通信し、アップリンク１７０を通してデータを受信する。デバイス１３０もまた、ダウンリンクを通してデータを送信し、アップリンクチャネルを通してデータを受信できるので、アップリンクおよびダウンリンクとしてのこのような指定は、任意のものである。２つのコンポーネント１２０および１３０が示されているが、ネットワーク１１０上で２つより多いコンポーネントを用いることができ、このような付加的なコンポーネントもまた、ここで説明する信号処理に対して適応させることができることに留意されたい。
【００１４】
一般に、システム１００は、ワイヤレス通信機器１３０における時間追跡ループおよび周波数追跡ループに対する適応追跡ステップを提供する。信号条件を自動的に解析して、デバイスの所定のロケーションに対する現在の信号品質を決定する。例えば、デバイスが、所定の高いジオメトリロケーションにあり、時間ループまたは周波数ループに対するそれぞれの追跡利得を自動的に減少させることができることを決定してもよい。信号条件が不良であるとして検出した、低いジオメトリのシチュエーションでは、時間ループ利得または周波数ループ利得を自動的に増加させることができる。検出した条件に対するこのような適応調節は、適応ステップ制御を通して、スムーズでインクリメント的な方法で制御される。このタイプの制御により、オーバーシュート（例えば、所望の利得ポジションを通り過ぎること）を最小化し、検出した条件を考慮してワイヤレス受信機を最適化しながら、検出した条件に対して時間ループ利得または周波数ループ利得を自動的に追跡することが可能になる。
【００１５】
１つの態様では、システム１００は、検出したチャネル条件に依存して、周波数追跡ループ／時間追跡ループ（ＦＴＬ／ＴＴＬ）利得を動的に変化させる。例えば、チャネル条件に対するメトリックとして、Ｅｃｐ／Ｎｔを用いることができ、ＦＴＬ／ＴＴＬ利得に対して自動化された変化を調節することができる。セル負荷影響を組み込むためにＥｃｐ／Ｎｔを使用することに、および、Ｅｃｐ／Ｎｔは、利得を動的に調節するために解析することがある多くのパラメータのうちの１つに過ぎないことに留意されたい。
【００１６】
一般に、移動体デバイス１３０は、何らかのタイプのフェーディングを絶えず経験する。音声通話またはデータ通話がアクティブにされているときに、デバイスが静止していることはまれである。ハンズフリーモードに対してデバイス１３０を使用している場合でさえ、自動車が移動しているか、または、周囲が動いているかであるので、環境は継続的に変化している。しかしながら、インターネット使用では、周囲が比較的静止しているときに、ますます多くの移動体電話機が、準静的モードに入ることがある。これは、基地局１２０に対するその近さと、静的な接続とのために、電話機またはデバイス１３０が高い容量を享受しているときの、極端なケースに対する最適化の必要性を生じさせる。下記でさらに詳細に示しているように、利得ステップサイズは、最も高い利益を実現するために、このシナリオに対しては、最小に維持すべきである。他の一般的な動作環境は、市街地の谷間であり、ここでは、動的な環境が、より大きな追跡ステップを好む。高ドップラーもまた、類似するカテゴリー中に入る。
【００１７】
システム１００は、次のスロットまたはフレームの時間のための追跡ループに対する最適なステップサイズを自動的に決定するために、ＤＬ（ダウンリンク）電力、追跡ループエラー（利用可能なときおよび利用可能な場合）、Ｅｃｐ／Ｎｔ、Ｅｃ／Ｉｏ、ドップラー（利用可能なときおよび利用可能な場合）等を考慮することができる。ワイヤレストラフィック処理に対してシステムを用いることができるが、下記でさらに詳細に説明するように、システムは、サーチャーコンポーネント中に一体化することもできる。適応追跡コンポーネント１４０において、最適化メカニズムを駆動するメトリックとして、信号対ノイズ比（ＳＮＲ）パラメータを用いることができる。２つの一般的なＳＮＲメトリック、Ｅｃｐ／Ｎｔと、Ｅｃｐ／Ｉｏとは、わずかに異なっている。定義によると、Ｅｃｐ／Ｎｔは、パイロットエネルギー対ノイズプラス干渉比であり、Ｅｃｐ／Ｉｏは、パイロットエネルギー対総受信エネルギーである。Ｅｃｐ／Ｎｔは、容量をさらに示し、Ｅｃｐ／Ｉｏは、現在の送信効率をさらに示し、双方のパラメータは、最適なシステム設計および改善に対する有用なメトリックである。
【００１８】
別の態様では、システム１００を用いて、ワイヤレス通信方法を実現することができる。これは、ワイヤレス通信からの１つ以上のジオメトリパラメータを解析することと、ジオメトリパラメータに部分的に基づいて、１つ以上のチャネル条件を決定することとを含む。これはまた、決定したチャネル条件またはジオメトリパラメータを考慮して、ワイヤレス受信機における周波数追跡ループ利得あるいは時間追跡ループ利得を自動的に調節することを含む。チャネル条件は、例えば、パイロットチップのエネルギー対総受信エネルギーパラメータ（Ｅｃｐ／Ｉｏ）、信号対ノイズ比（ＳＮＲ）に部分的に基づいており、または、パイロットエネルギー対ノイズプラス干渉比（Ｅｃｐ／Ｎｔ）に基づくことがある。チャネル条件またはジオメトリパラメータは、ダウンリンク電力、アップリンク電力、追跡ループエラー、検出した市街地の条件、あるいは、ドップラーパラメータにも基づくことがある。
【００１９】
方法は、チャネル条件またはジオメトリパラメータに部分的に基づいて、ステップ利得パラメータをインクリメント的に増加または減少させることを含む。これは、復調器コンポーネントにしたがって、周波数追跡ループ利得または時間追跡ループ利得を自動的に調節することを含む。同様に、方法は、サーチャーコンポーネントにしたがって、周波数追跡ループ利得または時間追跡ループ利得を自動的に調節することを含む。別の態様では、方法またはシステムは、レイク、イコライザ、あるいは、フィンガーコンポーネントにしたがって、周波数追跡ループ利得または時間追跡ループ利得を自動的に調節することを含む。これは、高いジオメトリ、低いジオメトリ、または、静止を含む動作条件を解析し、動作条件を考慮して、レイクあるいはイコライザにおける利得を最適化することを含むことができる。別の態様は、チャネルステータスインジケータ（ＣＳＩ）を解析して、複数入力複数出力（ＭＩＭＯ）システムに対するフィードバックレートを最適化することを含む。これはまた、ジオメトリ条件を解析して、最適な時間追跡ループ利得を決定すること、または、ジオメトリ条件を解析して、最適な周波数追跡ループ利得を決定することを含むことができる。方法は、時間偏差または周波数偏差を解析して、最適なループ利得を決定すること、あるいは、時間追跡ループを調節して、レイクタイミング変動を緩和すること、または、周波数追跡ループを調節して、チャネルインパルス応答（ＣＩＲ）を最適化することを含む。正しく認識できるように、他のコンポーネントまたはパラメータもまた、ここで説明する適応可能なステップ利得にしたがって、最適化することができる。
【００２０】
先に進む前に、システム１００は、アクセス端末または移動体デバイスとともに用いることができ、例えば、ＳＤカード、ネットワークカード、ワイヤレスネットワークカード、（ラップトップ、デスクトップ、パーソナルデジタルアシスタント（ＰＤＡ）を含む）コンピュータ、移動体電話機、スマートフォン、または、ネットワークにアクセスするために利用することができる他の何らかの適切な端末のようなモジュールとすることができることに留意されたい。端末は、（示されていない）アクセスコンポーネントによりネットワークにアクセスする。１つの例では、端末とアクセスコンポーネントとの間の接続は、実際には、ワイヤレスであってもよく、ここで、アクセスコンポーネントは、基地局であってもよく、移動体デバイスは、ワイヤレス端末である。例えば、端末および基地局は、これらに限定されないが、時分割多元接続（ＴＤＭＡ）や、コード分割多元接続（ＣＤＭＡ）や、周波数分割多元接続（ＦＤＭＡ）や、直交周波数分割多重化（ＯＦＤＭ）や、フラッシュＯＦＤＭや、直交周波数分割多元接続（ＯＦＤＭＡ）や、あるいは、他の何らかの適切なプロトコルを含む、何らかの適切なワイヤレスプロトコルにより通信してもよい。
【００２１】
アクセスコンポーネントは、ワイヤードネットワークにまたはワイヤレスネットワークに関係するアクセスノードとすることができる。そのために、アクセスコンポーネントは、例えば、ルータ、スイッチ、または、これらに類するものとすることができる。アクセスコンポーネントは、他のネットワークノードと通信するための、例えば、通信モジュールのような、１つ以上のインターフェースを含むことができる。付加的に、アクセスコンポーネントは、セルラタイプネットワークにおいては、基地局（または、ワイヤレスアクセスポイント）とすることができ、ここで、基地局（または、ワイヤレスアクセスポイント）を利用して、複数の加入者に対してワイヤレスカバレッジエリアを提供する。１つ以上のセルラ電話機および／または他のワイヤレス端末に対して、隣接するエリアのカバレッジを提供するように、このような基地局（または、ワイヤレスアクセスポイント）を配置することができる。
【００２２】
ここで図２を参照すると、適応追跡を用いることができる例示的な高レベルシステム２００が示されている。簡潔にする目的のために、システム２００中のすべてのコンポーネントを詳細に説明していない。マルチアンテナ入力２１０、２１２は、ブロック２１４において示されており、ブロック２１４では、それぞれの入力および関係する処理は、ＲＦ／アナログフロントエンド２１６、２１８と、ベースバンド／受信機フィルタコンポーネント２２０、２２２と、自動化利得制御回路２２４、２２６と、信号サンプリングメモリ２２８、２３０とを含んでいてもよい。レイクコンポーネント２４０は、フィンガーコンポーネント２４２、２４４と、イコライザ２４６と、コンバイナ２４８とを含むことができる。レイクコンポーネント２４０は、ここで説明する適応追跡に対する１つの可能性あるロケーションである。適応追跡に対する別の可能性あるロケーションは、サーチャーコンポーネント２５０を含んでいる。システム２００中の他のコンポーネントは、デインターリーバーコンポーネント２６０と、デコーダ２６２と、バッファ２６４と、メディアレイヤ処理回路２６６とを含んでいる。
【００２３】
移動体デバイスは、システム情報の抽出を通して、例えば、高いジオメトリまたは低いジオメトリや、動的であるまたは比較的静的であるというような、動作条件を決定することができる。情報は、レイク性能とともにイコライザ性能を最適化することを支援する。情報はまた、ＭＩＭＯシステムに対する、より良好で効率的なＣＳＩ（チャネルステータスインジケータ）フィードバックレートに役立つことができる。エコー消去に類似する適応ステップサイズを、あるいは、正規化されたステップサイズまたは利得での適応ステップサイズを提供するために、ここで説明するシステムをエラーレート処理することができる。これは、例えば、レイク性能とイコライザ性能の双方を向上させる。したがって、主題的なシステムおよび方法は、環境にかかわらず、容量にフォーカスする。例えば、ここで説明するシステムは、ユーザ機器からノードＢへの距離が相当に近いが、低下が急であるときに、市街地の谷間条件において満足に動作するだろう。市街地の谷間条件および他のものは、低いジオメトリシナリオと高いジオメトリシナリオを交替させ、動作環境における急速な変化を推進し、ここで、このような条件を考慮して全体的に最適な性能を達成するために、適応追跡が用いられる。
【００２４】
図３を見ると、適応追跡を用いることができる代替的な回路例３００が示されている。回路３００は、適応追跡を用いることができる例示的な変調器／復調器構造を示している。１つの態様では、適応追跡コンポーネント（周波数および／または時間追跡コンポーネント）を、復調器フロント３１０（復調器フロント）ＤＦＥ中に位置付けることができ、復調器フロント３１０（復調器フロント）ＤＦＥは、ＦＦＥ（フィンガーフロントエンド）３１２とＣＰＰ（共通パイロットプロセッサ）３１４とから成る。ＦＦＥ３１２は、Ｐｎポジションおよび時間追跡と、ロテータによる周波数エラー補正と、デスクランブリングユニットとを処理する。ＣＰＰ３１４は、パイロットフィルタリングと、ロテータに対する周波数追跡ループ（ＦＴＬ）と、時間追跡ループ（ＴＴＬ）と、受信信号強度インジケータ（ＲＳＳＩ）フィルタリングのような、共通パイロット信号処理機能を処理する。
【００２５】
ＣＰＰ３１４はまた、モデムデジタル信号プロセッサ（ＭＤＳＰ）３１６のような、他の復調器フロント３１０パーツに、フィルタリングされた出力をフィードし、復調、ＣＱＩ推定、フィンガー管理等を可能にする。適応追跡ステップは、ＴＴＬおよびＦＴＬ性能を最適化することにより、全体的な受信機性能とチャネル効率とを向上させるので、ユーザ経験もまた向上する。正しく認識できるように、例えば、サーチャーコンポーネント３２０のような、他のコンポーネントは、適応追跡特徴を一体化することができる。回路３００中の他のコンポーネントは、無線周波数（ＲＦ）プロセッサ３３０と、低ノイズ増幅器３３２と、Ｄ／Ａコンバータ３３４およびＡ／Ｄコンバータ３３６のそれぞれと、受信機フロントエンド３３８と、自動化利得制御３４０と、送信機コンポーネント３５０と、他の復調器コンポーネント３６０と、例えば、アドバンストＲＩＳＣ（縮小命令セット）マシン（ＡＲＭ（登録商標））３７０のような汎用プロセッサとを含んでいる。
【００２６】
別の態様では、通信装置として回路３００を提供することができる。装置は、ワイヤレス通信からの１つ以上のチャネル条件パラメータを決定するための復調器コンポーネント（例えば、復調器フロント３１０）を含んでいる。装置は、チャネル条件パラメータにしたがって、時間追跡パラメータまたは周波数エラーパラメータを解析するためのフィンガーコンポーネント（例えば、ＦＦＥ３１２）を含んでいる。装置はまた、時間追跡パラメータ、周波数エラーパラメータ、または、チャネル条件パラメータを考慮して、ワイヤレス受信機における周波数追跡ループ利得あるいは時間追跡ループ利得を自動的に調節するための共通パイロットプロセッサ（例えば、ＣＰＰ３１４）を含んでいる。共通パイロットプロセッサは、フィルタリングされた出力により、モデムデジタル信号プロセッサ（ＭＤＳＰ）に動作可能に結合することができ、ここで、ＭＤＳＰは、例えば、復調、チャネル品質推定、または、フィンガー管理を可能にする。通信装置は、ワイヤレス受信機における周波数追跡ループ利得または時間追跡ループ利得を調節するためのサーチャーコンポーネント（例えば、３２０）を含むことができる。通信装置はまた、無線周波数（ＲＦ）プロセッサ（例えば、３３０）、低ノイズ増幅器（例えば、３３２）、自動化利得制御（例えば、３４０）、送信機コンポーネント（例えば、３５０）、または、ワイヤレス受信機における周波数追跡ループ利得または時間追跡ループ利得を調節するための汎用プロセッサ（例えば、３７０）を含むことができる。
【００２７】
図４〜図７は、適応追跡ステップをどのように選択し、決定することができるかを示したグラフを示している。シミュレーションおよびラボテストにおいて示されているように、（標準偏差で測定された）タイミングジッターと、時間追跡ループ（ＴＴＬ）ＴＣ（時定数）との間に関係があることが発見された。最適な曲線を導出するために、高いジオメトリと低いジオメトリとに対してそれぞれ、２つの測定ポイントを取った。タイミングジッターの標準偏差と時定数（ＴＣ）との間にはトレードオフが存在する。図４は、ジオメトリが非常に低い、すなわち、−１１ｄＢであるときの、このケースを示している。この解析に基づくと、デフォルト利得は、４０９６（＝２＾１２）に設定されている。そこで、同じ論理が、１５ｄＢという高いジオメトリに対して適用される場合に、図５におけるプロットが発生する。
【００２８】
低いジオメトリのケースのものと比較して、タイミングジッターが非常に低いことに留意されたい。図４および図５に基づいて、低いジオメトリのケースのものと類似する時定数を維持しながら、できる限りタイミングジッターを最小化するＴＴＬループ利得を選択する。例えば、このチャネル条件では、２５６（＝２＾８）を選択する。動作ジオメトリをカバーするために、２つのジオメトリ間に、ならびに、２つのジオメトリ付近に、最適な時定数を外挿および内挿することができる。類似する解析は、例えば、−１１ｄＢジオメトリに対しては、１０２４ＦＴＬループ利得を選択し、１５ｄＢジオメトリに対しては、６４を選択するように導く。動作ジオメトリをカバーするために、類似する手順が内挿でおよび外挿で提供される。以前の解析は、−１１ｄＢジオメトリおよび１５ｄＢジオメトリに対するものである。以下のセクションでは、−１１ｄＢから１５ｄＢまでジオメトリをスイープし、適切なループ利得を計算する。適切なループ利得を決定するために、以下の基準を使用する。  
ループ利得選択基準（基準１）：以下の条件を満たしながら、できる限り時間／周波数ジッターを最小化するループ利得を選択する：
・ＴＴＬのケースでは：タイミングジッターの標準偏差＜０．０４チップ、時定数＜１０ｍｓ。  
・ＦＴＬのケースでは：タイミングジッターの標準偏差＜４０Ｈｚ、時定数＜３．７ｍｓ。以前のデフォルトループ利得と一致させるために、ＦＴＬ中とＴＴＬ中で、異なる基準を使用することがある。
【００２９】
図６は、上記の基準１に基づいて、組み合わせて、計算したＴＴＬ／ＦＴＬ利得の線６１０を示している。ここで、ループ利得は、２の整数の指数に限定されている。ＦＴＬ利得は、線６１０のいずれの部分においても、ＴＴＬ利得よりも１／４低く設定されていることに留意されたい（例えば、ＴＴＬ利得が線６１０上で４０９６に設定されている場合に、ＦＴＬ利得は、線６１０の同じポイントにおいて、１０２４に設定されている）。インプリメンテーションの基本設定のために、ルックアップテーブルの代わりに線形の式を使用する。対数−対数ドメインにおいて、関係がきれいな線形であると判明し、これは、図７において示されている。ここで、点線７１０は、ＴＴＬ利得を表し、破線７２０は、ＦＴＬ利得を表す。ＭＭＳＥ基準を使用して、これら２つの曲線は、次のものにより近似することができる：
ＴＴＬ：ｌｏｇ２（ＴＴＬ利得）＝−０．３３４１＊（Ｅｃｐ／Ｉｏ）＋４．５５６０
ＦＴＬ：ｌｏｇ２（ＦＴＬ利得）＝−０．３３３０＊（Ｅｃｐ／Ｉｏ）＋２．４０７７、
ここで、Ｅｃｐ／Ｉｏは、ｄＢ単位である。
【００３０】
実際、１０＊ｌｏｇ10（９＊（２＾１１）＊Ｅｃｐ／Ｉｏ）は、チャネル品質インジケータ（ＣＱＩ）アルゴリズムから入手可能である。これをＸとして示す。その後、上記の関係から、次のようにこのテーブルを実現する：
ＴＴＬに対しては：ＴＴＬ利得＝２＾（１９−ガウス（Ｘ／３））
ＦＴＬに対しては：ＦＴＬ利得＝２＾（１７−ガウス（Ｘ／３））、
ここで、［Ａ］は、Ａより大きくない整数である。堅牢性のために、ＴＴＬ／ＦＴＬ利得のダイナミックレンジを次のように限定する。
【００３１】
［１２８，３２］＜＝［ＴＴＬ，ＦＴＬ］＜＝［４０９６，１０２４］。
【００３２】
タイミングジッターを避けるために、より低いＴＴＬループ利得をレイクに対して適用することができる。典型的に、ＴＴＬは、イコライザよりもレイクにおいて、より主要な役割を果たす。ＣＩＲ推定を改善するために、したがって、より小さいＦＴＬジッターのために、より低いＦＴＬループ利得をイコライザに対して適用することができるのに対し、ＴＴＬは、より関連性が低い。最適なステップサイズは、高いジオメトリ条件で動作している間に、受信機性能に差を生じさせる。高いジオメトリにある間に高データレートでダウンロードすることを可能にするので、３Ｇネットワークの主な利点は容量である。チャネル効率とともにユーザ経験において、改善が重要である。この改善は、例えば、オーディオ、ビデオ、または、テレビ等のストリーミングメディア配信のようなアプリケーションに対して、特に重要である。
【００３３】
図８は、例えば、ワイヤレス端末のような、ワイヤレス通信装置とすることができる通信装置８００を示している。付加的にまたは代替的に、通信装置８００は、ワイヤードネットワーク内に存在することができる。通信装置８００は、ワイヤレス通信端末において、信号解析を実行するための命令を保持することができるメモリ８０２を備えることができる。付加的に、通信装置８００は、メモリ８０２内の命令を、および／または、別のネットワークデバイスから受信した命令を実行することができるプロセッサ８０４を備えていてもよく、ここで、命令は、通信装置８００をあるいは関連する通信装置を構成するまたは動作させることに関するものとすることができる。
【００３４】
図９を参照すると、多元接続ワイヤレス通信システム９００が示されている。多元接続ワイヤレス通信システム９００は、セル９０２、９０４、および、９０６を含む複数のセルを含んでいる。システム９００の態様では、セル９０２、９０４、および、９０６は、複数のセクターを含むノードＢを含んでいてもよい。複数のセクターは、アンテナのグループにより形成することができ、各アンテナは、セルの一部分におけるＵＥとの通信を担っている。例えば、セル９０２では、アンテナグループ９１２、９１４、および、９１６は、それぞれ、異なるセクターに対応していてもよい。セル９０４では、アンテナグループ９１８、９２０、および、９２２は、それぞれ、異なるセクターに対応している。セル９０６では、アンテナグループ９２４、９２６、および、９２８は、それぞれ、異なるセクターに対応している。セル９０２、９０４、および、９０６は、例えば、ユーザ機器すなわちＵＥのような、いくつかのワイヤレス通信デバイスを含むことができ、ＵＥは、各セル９０２、９０４、または、９０６の１つ以上のセクターと通信することができる。例えば、ＵＥ９３０および９３２は、ノードＢ９４２と通信することができ、ＵＥ９３４および９３６は、ノードＢ９４４と通信することができ、ＵＥ９３８および９４０は、ノードＢ９４６と通信することができる。
【００３５】
ここで図１０を参照すると、１つの態様にしたがった、多元接続ワイヤレス通信システムが示されている。アクセスポイント１０００（ＡＰ）は、１つが１００４と１００６を含み、別のものが１００８と１０１０を含み、さらに他のものが１０１２と１０１４を含む、複数のアンテナグループを含んでいる。図１０では、各アンテナグループに対して２つのアンテナだけが示されているが、各アンテナグループに対して、より多いまたはより少ないアンテナを利用してもよい。アクセス端末１０１６（ＡＴ）は、アンテナ１０１２および１０１４と通信しており、ここで、アンテナ１０１２およびアンテナ１０１４は、フォワードリンク１０２０を通してアクセス端末１０１６に情報を送信し、リバースリンク１０１８を通してアクセス端末１０１６から情報を受信する。アクセス端末１０２２は、アンテナ１００６および１００８と通信しており、ここで、アンテナ１００６およびアンテナ１００８は、フォワードリンク１０２６を通してアクセス端末１０２２に情報を送信し、リバースリンク１０２４を通してアクセス端末１０２２から情報を受信する。ＦＤＤシステムでは、通信リンク１０１８、１０２０、１０２４、および、１０２６は、通信のために異なる周波数を使用してもよい。例えば、フォワードリンク１０２０は、リバースリンク１０１８により使用されているものとは異なる周波数を使用してもよい。
【００３６】
各アンテナのグループおよび／または各アンテナのグループが通信するように設計されているエリアを、アクセスポイントのセクターとして呼ぶことが多い。アンテナグループはそれぞれ、セクター中で、アクセスポイント１０００によりカバーされているエリアの、アクセス端末に通信するように設計されている。フォワードリンク１０２０と１０２６とを通しての通信では、アクセスポイント１０００の送信アンテナは、異なるアクセス端末１０１６と１０２４とに対するフォワードリンクの信号対ノイズ比を改善するために、ビームフォーミングを利用する。また、そのカバレッジ中にランダムに散らばっているアクセス端末に送信するためにビームフォーミングを使用するアクセスポイントは、単一のアンテナを通して、そのすべてのアクセス端末に送信するアクセスポイントよりも、隣接するセル中のアクセス端末に対してより小さい干渉を生じさせる。アクセスポイントは、端末との通信に対して使用される固定局であってもよく、アクセスポイント、ノードＢ、または、他の何らかの専門用語として呼ぶこともある。アクセス端末は、アクセス端末、ユーザ機器（ＵＥ）、ワイヤレス通信デバイス、端末、アクセス端末、または、他の何らかの専門用語と呼ぶこともある。
【００３７】
図１１を参照すると、システム１１００は、ＭＩＭＯシステム１１００中の、（アクセスポイントとしても知られている）送信機システム１１１０と、（アクセス端末としても知られている）受信機システム１１５０とを示している。送信機システム１１１０において、多数のデータストリームに対するトラフィックデータが、データソース１１１２から、送信（ＴＸ）データプロセッサ１１１４に提供される。各データストリームは、それぞれの送信アンテナを通して送信される。ＴＸデータプロセッサ１１１４は、そのデータストリームに対して選択された特定のコーディングスキームに基づいて、各データストリームに対するトラフィックデータをフォーマットし、コード化し、および、インターリーブし、コード化されたデータを提供する。
【００３８】
各データストリームに対するコード化されたデータは、ＯＦＤＭ技術を使用して、パイロットデータと多重化してもよい。パイロットデータは、典型的に、既知の方法で処理される既知のデータパターンであり、チャネル応答を推定するために、受信機システムにおいて使用してもよい。その後、各データストリームに対する多重化されたパイロットおよびコード化データを、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調（すなわち、シンボルマッピング）し、変調シンボルを提供する。各データストリームに対する、データレート、コーディング、および、変調は、プロセッサ１１３０により実行される命令により決定してもよい。
【００３９】
その後、すべてのデータストリームに対する変調シンボルは、ＴＸ ＭＩＭＯプロセッサ１１２０に提供され、ＴＸ ＭＩＭＯプロセッサ１１２０は、（例えば、ＯＦＤＭのために）変調シンボルをさらに処理してもよい。ＴＸ ＭＩＭＯプロセッサ１１２０は、その後、ＮＴ個の変調シンボルストリームをＮＴ台の送信機（ＴＭＴＲ）１１２２ａないし１１２２ｔに提供する。ある実施形態では、ＴＸ ＭＩＭＯプロセッサ１１２０は、データストリームのシンボルと、そこからシンボルが送信されるアンテナとに対して、ビームフォーミングの重みを適用する。
【００４０】
各送信機１１２２は、それぞれのシンボルストリームを受け取って処理し、１つ以上のアナログ信号を提供し、アナログ信号をさらに調節して（例えば、増幅して、フィルタリングして、および、アップコンバートして）、ＭＩＭＯチャネルを通しての送信に適した変調された信号を提供する。送信機１１２２ａないし１１２２ｔからのＮＴ個の変調信号は、その後、ＮＴ本のアンテナ１１２４ａないし１１２４ｔから、それぞれ送信される。
【００４１】
受信機システム１１５０において、ＮＲ本のアンテナ１１５２ａないし１１５２ｒにより、送信変調信号を受信し、各アンテナ１１５２から受信した信号は、それぞれの受信機（ＲＣＶＲ）１１５４ａないし１１５４ｒに提供される。各受信機１１５４は、それぞれの受信信号を調節し（例えば、フィルタリングし、増幅し、および、ダウンコンバートし）、調節した信号をデジタル化して、サンプルを提供し、サンプルをさらに処理して、対応する“受信した”シンボルストリームを提供する。
【００４２】
その後、ＲＸデータプロセッサ１１６０は、特定の受信機処理技術に基づいて、ＮＲ台の受信機１１５４からＮＲ個の受信したシンボルストリームを受け取って処理し、ＮＴ個の“検出した”シンボルストリームを提供する。ＲＸデータプロセッサ１１６０は、その後、各検出したシンボルストリームを復調し、デインターリーブし、および、デコードし、データストリームに対するトラフィックデータを復元する。ＲＸデータプロセッサ１１６０による処理は、送信機システム１１１０における、ＴＸ ＭＩＭＯプロセッサ１１２０とＴＸデータプロセッサ１１１４とにより実行される処理と相補的である。
【００４３】
プロセッサ１１７０は、どのプリコーディング行列を使用するかを周期的に決定する（下記で論じる）。プロセッサ１１７０は、行列インデックス部分とランク値部分とを含むリバースリンクメッセージを構築する。リバースリンクメッセージは、通信リンクにおよび／または受信したデータストリームに関する、さまざまなタイプの情報を含んでいてもよい。リバースリンクメッセージは、その後、データソース１１３６から多数のデータストリームに対するトラフィックデータも受け取るＴＸデータプロセッサ１１３８により処理され、変調器１１８０により変調され、送信機１１５４ａないし１１５４ｒにより調節され、送信機システム１１１０に返信される。
【００４４】
送信機システム１１１０において、受信機システム１１５０からの変調信号は、受信機システム１１５０により送信されたリバースリンクメッセージを抽出するために、アンテナ１１２４により受信され、受信機１１２２により調節され、復調器１１４０により復調され、ＲＸデータプロセッサ１１４２により処理される。その後、プロセッサ１１３０は、ビームフォーミングの重みを決定するために、どのプリコーディング行列を使用するかを決定し、そして、抽出したメッセージを処理する。
【００４５】
ここで図１２を参照すると、ワイヤレス通信方法論１２００が示されている。説明を簡単にする目的のために、一連のアクトとして方法論を示し、説明しているが、いくつかのアクトは、１つ以上の実施形態にしたがって、ここで示し説明しているものとは異なる順序でおよび／または他のアクトと同時に起こるかもしれないので、方法論は、アクトの順序によって限定されないことを理解し、正しく認識すべきである。例えば、当業者は、代替的に、状態ダイヤグラムにおけるもののような、一連の相互に関係のある状態またはイベントとして、方法論を表すことができることを理解し、正しく認識するだろう。さらに、クレームされている主題事項にしたがって、方法論を実現するために、示しているすべてのアクトを利用しなくてもよい。
【００４６】
１２１０に進むと、パイロットチップのエネルギーを解析する。これはまた、信号対ノイズ比等のような、実質的に任意のタイプの信号品質パラメータの解析を含むことができる。１２２０において、干渉パラメータを決定する。以前に述べたように、１２３０において、１２１０および１２２０において決定したパラメータから、チップパイロットエネルギー対干渉比であるＥｃｐに対する推定のような、チャネル条件を決定することができる。正しく認識できるように、他の信号品質比を処理することができる。１２４０において、１２３０において解析した、決定したチャネル条件を考慮して、追跡ループおよび／または周波数ループを自動的に調節する（例えば、ループ利得を上にまたは下に調節する）。以前に述べたように、このような追跡ループは、時間追跡ループおよび／または周波数追跡ループを含むことができる。
【００４７】
以前に述べたように、ワイヤレス通信ネットワークにおいて、時間追跡ループおよび周波数追跡ループに対する適応追跡ステップを自動的にまたは動的に調節することができる。信号条件を自動的に解析して、デバイスの所定のロケーションに対する現在の信号品質を決定する。例えば、デバイスが、所定の高いジオメトリロケーションにあり、時間ループまたは周波数ループに対するそれぞれの追跡利得を自動的に減少させることができることを決定してもよい。信号条件が不良であるとして検出した、低いジオメトリのシチュエーションでは、インクリメントな方法でまたはステップ的な方法で、時間ループ利得または周波数ループ利得を自動的に増加させることができる（例えば、１ｄｂまたは２ｄｂのインクリメントでの利得の増加）。検出した条件に対するこのような適応調節は、適応ステップ制御を通して、スムーズでインクリメント的な方法で制御される。このタイプの制御により、オーバーシュート（例えば、所望の利得ポジションを通り過ぎること）を最小化し、検出した条件を考慮してワイヤレス受信機を最適化しながら、検出した条件に対して時間ループ利得または周波数ループ利得を自動的に追跡することが可能になる。
【００４８】
ここで説明する技術プロセスは、さまざまな手段によって実現してもよい。例えば、これらの技術は、ハードウェア、ソフトウェア、または、これらを組み合わせたもので実現してもよい。ハードウェアインプリメンテーションのために、処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、制御装置、マイクロ制御装置、マイクロプロセッサ、ここで説明した機能を実行するように設計されている他の電子ユニット、あるいは、これらを組み合わせたものの内で実現してもよい。ソフトウェアでは、インプリメンテーションは、ここで説明する機能を実行するモジュール（例えば、手順、関数等）によるものとすることができる。ソフトウェアコードは、メモリユニット中に記憶されて、プロセッサによって実行されてもよい。
【００４９】
ここで図１３を見ると、ワイヤレス信号処理に関するシステムが提供されている。一連の相互に関係のある機能ブロックとして、システムを表し、機能ブロックは、プロセッサ、ソフトウェア、ハードウェア、ファームウェア、または、これらの何らかの適切な組み合わせにより実現される機能を表すことができる。
【００５０】
図１３を参照すると、ワイヤレス通信システム１３００が提供されている。システム１３００は、ワイヤレス通信からの１つ以上のジオメトリパラメータを処理する論理モジュール１３０２または手段を備えている。これは、ジオメトリパラメータに部分的に基づいて、１つ以上のチャネル条件を解析する論理モジュール１３０４または手段を備えている。これはまた、決定したチャネル条件またはジオメトリパラメータを考慮して、ワイヤレス受信機における周波数追跡ループ利得あるいは時間追跡ループ利得を選択する論理モジュール１３０６または手段を備えている。
【００５１】
図１４は、ワイヤレス通信システムにおける時間追跡ループ利得および周波数追跡ループ利得を設定するための方法１４００を示している。上記で述べたように、（標準偏差で測定された）タイミングジッターと、時間追跡ループ（ＴＴＬ）ＴＣ（時定数）との間に関係が存在することが発見された。アクト１４１０に進むと、低いジオメトリのケースのものと類似する時定数を維持しながら、できる限りタイミングジッターを最小化するＴＴＬループ利得およびＦＴＬループ利得を決定する。例えば、このチャネル条件では、２５６（＝２＾８）を選択する。動作ジオメトリをカバーするために、２つのジオメトリ間に、ならびに、２つのジオメトリ付近に、最適な時定数を外挿および内挿することができる。類似する解析は、例えば、−１１ｄＢジオメトリに対しては、１０２４ＦＴＬループ利得を選択し、１５ｄＢジオメトリに対しては、６４を選択するように導く。動作ジオメトリをカバーするために、類似する手順が内挿でおよび外挿で提供される。以前の解析は、−１１ｄＢジオメトリおよび１５ｄＢジオメトリに対するものである。例えば、−１１ｄＢから１５ｄＢまでジオメトリをスイープし、適切なループ利得を計算する。適切なループ利得を決定するために、以下の基準を使用する。
【００５２】
アクト１４２０および１４３０におけるループ利得選択基準（基準１）：以下の条件を満たしながら、できる限り時間／周波数ジッターを最小化するループ利得を選択する：
・アクト１４２０におけるＴＴＬのケースでは：タイミングジッターの標準偏差＜０．０４チップ、時定数＜１０ｍｓを決定する。  
・アクト１４３０におけるＦＴＬのケースでは：タイミングジッターの標準偏差＜４０Ｈｚ、時定数＜３．７ｍｓを決定する。以前のデフォルトループ利得と一致させるために、ＦＴＬ中とＴＴＬ中で、異なる基準を使用することができる。
【００５３】
アクト１４４０において、Ｅｃｐ／Ｉｏの観点から、次のものにより、ループ利得を近似することができる：
ＴＴＬ：ｌｏｇ２（ＴＴＬ利得）＝−０．３３４１＊（Ｅｃｐ／Ｉｏ）＋４．５５６０
ＦＴＬ：ｌｏｇ２（ＦＴＬ利得）＝−０．３３３０＊（Ｅｃｐ／Ｉｏ）＋２．４０７７、
ここで、Ｅｃｐ／Ｉｏは、ｄＢ単位である。
【００５４】
実際、１０＊ｌｏｇ10（９＊（２＾１１）＊Ｅｃｐ／Ｉｏ）は、チャネル品質インジケータ（ＣＱＩ）アルゴリズムから入手可能である。これをＸとして示す。その後、上記の関係から、アクト１４５０において、ガウスの観点から、次のように、このテーブルを実現する：
ＴＴＬに対しては：ＴＴＬ利得＝２＾（１９−ガウス（Ｘ／３））
ＦＴＬに対しては：ＦＴＬ利得＝２＾（１７−ガウス（Ｘ／３））、
堅牢性のために、ＴＴＬ／ＦＴＬ利得のダイナミックレンジを次のように限定する。
【００５５】
［１２８，３２］＜＝［ＴＴＬ，ＦＴＬ］＜＝［４０９６，１０２４］。
【００５６】
別の態様では、通信装置が提供されている。これは、ワイヤレス通信からの１つ以上のジオメトリパラメータを解析するための命令と、ジオメトリパラメータに部分的に基づいて、１つ以上のチャネル条件を処理するための命令と、決定したチャネル条件またはジオメトリパラメータを考慮して、ワイヤレス受信機における周波数追跡ループ利得あるいは時間追跡ループ利得を動的に調節するための命令とを保持するメモリと、命令を実行するプロセッサとを具備する。チャネル条件は、パイロットチップのエネルギー対総受信エネルギーパラメータ（Ｅｃｐ／Ｉｏ）、信号対ノイズ比（ＳＮＲ）、または、パイロットエネルギー対ノイズプラス干渉比（Ｅｃｐ／Ｎｔ）に部分的に基づいている。
【００５７】
別の態様では、適応ステップ制御のためのコードを含むコンピュータ読取可能媒体を具備するコンピュータプログラムプロダクトが提供されている。コードは、次のものを含む：コンピュータに、ワイヤレス通信からの複数のジオメトリパラメータを監視させるためのコードと、コンピュータに、複数のジオメトリパラメータに部分的に基づいて、１つ以上のチャネル条件を処理させるためのコードと、コンピュータに、決定したチャネル条件あるいは複数のジオメトリパラメータを考慮して、ワイヤレス受信機における周波数追跡ループ利得または時間追跡ループ利得を調整させるためのコードである。これは、複数入力複数出力（ｍｉｍｏ）システムに対する１つ以上のチャネル条件パラメータを解析することも含むことができる。
【００５８】
ある態様において、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）と、ページング情報を移送するＤＬチャネルであるページング制御チャネル（ＰＣＣＨ）と、１つまたはいくつかのＭＴＣＨに対する、マルチメディアブロードキャストおよびマルチキャストサービス（ＭＢＭＳ）スケジューリングおよび制御情報を送信するために使用されるポイント・ツー・マルチポイントＤＬチャネルであるマルチキャスト制御チャネル（ＭＣＣＨ）とを含んでいる。一般的に、ＲＲＣ接続を確立した後に、ＭＢＭＳ（注：古いＭＣＣＨ＋ＭＳＣＨ）を受信するＵＥによってのみ、このチャネルが使用される。専用制御チャネル（ＤＣＣＨ）は、専用制御情報を送信し、ＲＲＣ接続を有するＵＥにより使用されるポイント・ツー・ポイントの双方向チャネルである。論理トラフィックチャネルは、ポイント・ツー・ポイントの双方向チャネルであり、ユーザ情報の移送に対して、１つのＵＥに専用である、専用トラフィックチャネル（ＤＴＣＨ）と、また、トラフィックデータを送信するためのポイント・ツー・マルチポイントのＤＬチャネルに対するマルチキャストトラフィックチャネル（ＭＴＣＨ）とを含んでいる。
【００５９】
トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）とを含み、ＰＣＨは、ＵＥ電力セービングのサポートのためのものであり（ＤＲＸサイクルは、ネットワークによりＵＥに示される）、セル全体を通してブロードキャストされ、他の制御／トラフィックチャネルに対して使用することができるＰＨＹリソースにマッピングされている。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを含んでいる。ＰＨＹチャネルは、１組のＤＬチャネルおよびＵＬチャネルを含んでいる。
【００６０】
ＤＬ ＰＨＹチャネルは、次のものを含む：例えば、共通パイロットチャネル（ＣＰＩＣＨ）、同期化チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および、負荷インジケータチャネル（ＬＩＣＨ）である。
【００６１】
ＵＬ ＰＨＹチャネルは、次のものを含む：例えば、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、および、ブロードバンドパイロットチャネル（ＢＰＩＣＨ）である。
【００６２】
他の用語／コンポーネントは、次のものを含む：３Ｇ 第３世代、３ＧＰＰ 第３世代パートナーシッププロジェクト、ＡＣＬＲ 隣接チャネル漏洩比、ＡＣＰＲ 隣接チャネル電力比、ＡＣＳ 隣接チャネル選択度、ＡＤＳ 高度設計システム、ＡＭＣ 適応変調およびコーディング、Ａ−ＭＰＲ 付加的な最大電力低減、ＡＲＱ 自動反復要求、ＢＣＣＨ ブロードキャスト制御チャネル、ＢＴＳ 基地トランシーバ局、ＣＤＤ 巡回遅延ダイバーシティ、ＣＣＤＦ 相補累積分布関数、ＣＤＭＡ コード分割多元接続、ＣＦＩ 制御フォーマットインジケータ、Ｃｏ−ＭＩＭＯ 協調ＭＩＭＯ、ＣＰ サイクリックプリフィックス、ＣＰＩＣＨ 共通パイロットチャネル、ＣＰＲＩ 共通パブリック無線インターフェース、ＣＱＩ チャネル品質インジケータ、ＣＲＣ 巡回冗長検査、ＤＣＩ ダウンリンク制御インジケータ、ＤＦＴ 離散フーリエ変換、ＤＦＴ−ＳＯＦＤＭ 離散フーリエ変換拡散ＯＦＤＭ、ＤＬ ダウンリンク（基地局対加入者送信）、ＤＬ−ＳＣＨ ダウンリンク共有チャネル、Ｄ−ＰＨＹ ５００Ｍｂｐｓ 物理レイヤ、ＤＳＰ デジタル信号処理、ＤＴ 開発ツールセット、ＤＶＳＡ デジタルベクトル信号解析、ＥＤＡ 電子設計自動化、Ｅ−ＤＣＨ 拡張専用チャネル、Ｅ−ＵＴＲＡＮ エボルブドＵＭＴＳ地上無線アクセスネットワーク、ｅＭＢＭＳ エボルブドマルチメディアブロードキャストマルチキャストサービス、ｅＮＢ エボルブドノードＢ、ＥＰＣ エボルブドパケットコア、ＥＰＲＥ リソースエレメント当たりのエネルギー、ＥＴＳＩ 欧州電気通信標準化機構、Ｅ−ＵＴＲＡ エボルブドＵＴＲＡ、Ｅ−ＵＴＲＡＮ エボルブドＵＴＲＡＮ、ＥＶＭ エラーベクトル振幅、および、ＦＤＤ 周波数分割デュプレックス。
【００６３】
さらにまた他の用語は、ＦＦＴ 高速フーリエ変換、ＦＲＣ 固定基準チャネル、ＦＳ１ フレーム構造タイプ１、ＦＳ２ フレーム構造タイプ２、ＧＳＭ（登録商標） グローバルシステムフォーモバイルコミュニケーション、ＨＡＲＱ ハイブリッド自動反復要求、ＨＤＬ ハードウェア記述言語、ＨＩ ＨＡＲＱインジケータ、ＨＳＤＰＡ 高速ダウンリンクパケットアクセス、ＨＳＰＡ 高速パケットアクセス、ＨＳＵＰＡ 高速アップリンクパケットアクセス、ＩＦＦＴ 逆ＦＦＴ、ＩＯＴ 相互運用性試験、ＩＰ インターネットプロトコル、ＬＯ ローカル発振器、ＬＴＥ ロングタームエボリューション、ＭＡＣ 媒体アクセス制御、ＭＢＭＳ マルチメディアブロードキャストマルチキャストサービス、ＭＢＳＦＮ マルチキャスト／ブロードキャスト単一周波数ネットワーク、ＭＣＨ マルチキャストチャネル、ＭＩＭＯ 複数入力複数出力、ＭＩＳＯ 複数入力単一出力、ＭＭＥ 移動性管理エンティティ、ＭＯＰ 最大出力電力、ＭＰＲ 最大電力低減、ＭＵ−ＭＩＭＯ 複数ユーザＭＩＭＯ、ＮＡＳ 非アクセス層、ＯＢＳＡＩ オープン基地局アーキテクチャインターフェース、ＯＦＤＭ 直交周波数分割多重化、ＯＦＤＭＡ 直交周波数分割多元接続、ＰＡＰＲ ピーク対平均電力比、ＰＡＲ ピーク対平均比、ＰＢＣＨ 物理ブロードキャストチャネル、Ｐ−ＣＣＰＣＨ １次共通制御物理チャネル、ＰＣＦＩＣＨ 物理制御フォーマットインジケータチャネル、ＰＣＨ ページングチャネル、ＰＤＣＣＨ 物理ダウンリンク制御チャネル、ＰＤＣＰ パケットデータコンバージェンスプロトコル、ＰＤＳＣＨ 物理ダウンリンク共有チャネル、ＰＨＩＣＨ 物理ハイブリッドＡＲＱインジケータチャネル、ＰＨＹ 物理レイヤ、ＰＲＡＣＨ 物理ランダムアクセスチャネル、ＰＭＣＨ 物理マルチキャストチャネル、ＰＭＩ プリコーディング行列インジケータ、Ｐ−ＳＣＨ １次同期信号、ＰＵＣＣＨ 物理アップリンク制御チャネル、および、ＰＵＳＣＨ 物理アップリンク共有チャネルを含んでいる。
【００６４】
他の用語は、ＱＡＭ 直角位相振幅変調、ＱＰＳＫ ４位相偏移変調、ＲＡＣＨ ランダムアクセスチャネル、ＲＡＴ 無線アクセス技術、ＲＢ リソースブロック、ＲＦ 無線周波数、ＲＦＤＥ ＲＦ設計環境、ＲＬＣ 無線リンク制御、ＲＭＣ 基準測定チャネル、ＲＮＣ 無線ネットワーク制御装置、ＲＲＣ 無線リソース制御、ＲＲＭ 無線リソース管理、ＲＳ 基準信号、ＲＳＣＰ 受信信号コード電力、ＲＳＲＰ 基準信号受信電力、ＲＳＲＱ 基準信号受信品質、ＲＳＳＩ 受信信号強度インジケータ、ＳＡＥ システムアーキテクチャエボリューション、ＳＡＰ サービスアクセスポイント、ＳＣ−ＦＤＭＡ 単一搬送波周波数分割多元接続、ＳＦＢＣ 空間周波数ブロックコーディング、Ｓ−ＧＷ サービングゲートウェイ、ＳＩＭＯ 単一入力複数出力、ＳＩＳＯ 単一入力単一出力、ＳＮＲ 信号対ノイズ比、ＳＲＳ サウンディング基準信号、Ｓ−ＳＣＨ 二次同期信号、ＳＵ−ＭＩＭＯ 単一ユーザＭＩＭＯ ＴＤＤ 時分割デュプレックス、ＴＤＭＡ 時分割多元接続、ＴＲ 技術レポート、ＴｒＣＨ トランスポートチャネル、ＴＳ 技術仕様書、ＴＴＡ テレコミュニケーションテクノロジーアソシエーション、ＴＴＩ 送信時間間隔、ＵＣＩ アップリンク制御インジケータ、ＵＥ ユーザ機器、ＵＬ アップリンク（加入者対基地局送信）、ＵＬ−ＳＣＨ アップリンク共有チャネル、ＵＭＢ ウルトラモバイルブロードバンド、ＵＭＴＳ ユニバーサルモバイルテレコミュニケーションシステム、ＵＴＲＡ ユニバーサル地上無線アクセス、ＵＴＲＡＮ ユニバーサル地上無線アクセスネットワーク、ＶＳＡ ベクトル信号解析器、Ｗ−ＣＤＭＡ ワイドバンドコード分割多元接続を含んでいる。
【００６５】
端末に関連して、ここでさまざまな態様を説明することに留意されたい。端末は、システム、ユーザデバイス、加入者ユニット、加入者局、移動局、移動体デバイス、遠隔局、遠隔端末、アクセス端末、ユーザ端末、ユーザエージェント、または、ユーザ機器としても呼ぶことがある。ユーザデバイスは、セルラ電話機、コードレス電話機、セッション開始プロトコル（ＳＩＰ）電話機、ワイヤレスローカルループ（ＷＬＬ）局、ＰＤＡ、ワイヤレス接続能力を有するハンドヘルドデバイス、端末内のモジュール、ホストデバイスに取り付けることができるカードまたはホストデバイス内に一体化することができるカード（例えば、ＰＣＭＣＩＡカード）、あるいは、ワイヤレスモデムに接続されている処理デバイスとすることができる。
【００６６】
さらに、クレームされている主題事項のさまざまな態様を実現するようにコンピュータまたはコンピューティングコンポーネントを制御するために、標準のプログラミングおよび／またはエンジニアリング技法を使用して、ソフトウェア、ファームウェア、ハードウェア、または、これらの何らかの組み合わせを生成させることにより、方法、装置、または、製造物として、クレームされている主題事項の態様を実現してもよい。ここで使用するような用語“製造物”は、何らかのコンピュータ読取可能デバイス、搬送波、または、媒体から、アクセス可能なコンピュータプログラムを含むことを意図している。例えば、コンピュータ読取可能媒体は、これらに限定されないが、磁気記憶デバイス（例えば、ハードディスク、フロッピー（登録商標）ディスク、磁気ストリップ．．．）と、光ディスク（例えば、コンパクトディスク（ＣＤ）、デジタル多用途ディスク（ＤＶＤ）．．．）と、スマートカードと、フラッシュメモリデバイス（例えば、カード、スティック、キードライブ．．．）とを含むことができる。さらに、音声メールを送受信する際に、あるいは、セルラネットワークのようなネットワークにアクセスする際に使用するもののようなコンピュータ読取可能な電子データを伝えるために、搬送波を用いることができることを正しく認識すべきである。当然、当業者は、ここで説明することの範囲または精神から逸脱することなく、このコンフィギュレーションに対して多くの改良がなされてもよいことを認識するだろう。
【００６７】
本出願において使用されているような、“コンポーネント”、“モジュール”、“システム”、“プロトコル”という用語と、これらに類するものとは、ハードウェア、ハードウェアとソフトウェアとを組み合わせたもの、ソフトウェア、または、実行中のソフトウェアのいずれかである、コンピュータ関連エンティティのことを指すことを意図している。例えば、コンポーネントは、これらに限定されないが、プロセッサ上で実行しているプロセスや、プロセッサや、オブジェクトや、実行可能ファイルや、実行のスレッドや、プログラムや、および／または、コンピュータであってもよい。例示として、サーバ上で実行しているアプリケーションおよびサーバの双方ともコンポーネントとすることができる。１つ以上のコンポーネントは、実行のプロセスおよび／またはスレッド内に存在していてもよく、コンポーネントは、１つのコンピュータ上で局所化および／または２つ以上のコンピュータ間で分散されてもよい。
【００６８】
先に説明していることは、１つ以上の実施形態の例を含んでいる。当然、前述の実施形態を説明する目的のためにコンポーネントまたは方法論のすべての考えられる組み合わせを説明することは可能ではないが、当業者は、さまざまな実施形態の多くのさらなる組み合わせおよび置換が可能であることを認識してもよい。したがって、説明した実施形態は、添付の特許請求の範囲の精神および範囲内にあるすべてのこのような変更、改良、および、バリエーションを含むことを意図している。さらに、“含む”という用語が詳細な説明または特許請求の範囲のいずれかで使用される限り、このような用語は、請求項中で移行語として用いられるときに“具備する”が解釈されるように、用語“具備する”に類似した方法で包括的であることが意図されている。
以下に、本願出願の当初の特許請求の範囲に記載された発明を付記する。
［１］ワイヤレス通信方法において、
ワイヤレス通信からの１つ以上のチャネル条件パラメータを解析することと、
前記チャネル条件パラメータに部分的に基づいて、１つ以上のチャネル条件を決定することと、
前記チャネル条件パラメータを考慮して、ワイヤレス受信機における周波数追跡ループ利得または時間追跡ループ利得を自動的に調節することとを含むワイヤレス通信方法。
［２］前記チャネル条件パラメータは、パイロットチップのエネルギー対総受信エネルギーパラメータ（Ｅｃｐ／Ｉｏ）に部分的に基づいている［１］に記載の方法。
［３］前記チャネル条件パラメータは、信号対ノイズ比（ＳＮＲ）に基づいている［１］に記載の方法。
［４］前記チャネル条件パラメータは、パイロットエネルギー対ノイズプラス干渉比（Ｅｃｐ／Ｎｔ）に基づいている［１］に記載の方法。
［５］前記チャネル条件パラメータは、ダウンリンク電力、アップリンク電力、追跡ループエラー、検出した市街地の条件、または、ドップラーパラメータに基づいている［１］に記載の方法。
［６］前記チャネル条件パラメータに部分的に基づいて、ステップ利得パラメータをインクリメント的に増加または減少させることをさらに含む［５］に記載の方法。
［７］復調器コンポーネントにしたがって、前記周波数追跡ループ利得または前記時間追跡ループ利得を自動的に調節することをさらに含む［１］に記載の方法。
［８］サーチャーコンポーネントにしたがって、前記周波数追跡ループ利得または前記時間追跡ループ利得を自動的に調節することをさらに含む［１］に記載の方法。
［９］レイク、イコライザ、あるいは、フィンガーコンポーネントにしたがって、前記周波数追跡ループ利得または前記時間追跡ループ利得を自動的に調節することをさらに含む［１］に記載の方法。
［１０］高いジオメトリ、低いジオメトリ、または、静止を含む動作条件を解析し、前記動作条件を考慮して、レイクあるいはイコライザにおける利得を最適化することをさらに含む［１］に記載の方法。
［１１］チャネルステータスインジケータ（ＣＳＩ）を解析して、複数入力複数出力（ＭＩＭＯ）システムに対するフィードバックレートを最適化する［１０］に記載の方法。
［１２］ジオメトリ条件を解析して、最適な時間追跡ループ利得を決定することをさらに含む［１］に記載の方法。
［１３］ジオメトリ条件を解析して、最適な周波数追跡ループ利得を決定することをさらに含む［１２］に記載の方法。
［１４］時間偏差または周波数偏差を解析して、最適なループ利得を決定することをさらに含む［１３］に記載の方法。
［１５］時間追跡ループを調節して、レイクタイミング変動を緩和すること、または、周波数追跡ループを調節して、チャネルインパルス応答（ＣＩＲ）を最適化することをさらに含む［１］に記載の方法。
［１６］通信装置において、
ワイヤレス通信からの１つ以上のジオメトリパラメータを解析するための命令と、前記ジオメトリパラメータに部分的に基づいて、１つ以上のチャネル条件を処理するための命令と、前記チャネル条件または前記ジオメトリパラメータを考慮して、ワイヤレス受信機における周波数追跡ループ利得あるいは時間追跡ループ利得を動的に調節するための命令とを保持するメモリと、
前記命令を実行するプロセッサとを具備する通信装置。
［１７］前記チャネル条件は、パイロットチップのエネルギー対総受信エネルギーパラメータ（Ｅｃｐ／Ｉｏ）、信号対ノイズ比（ＳＮＲ）、または、パイロットエネルギー対ノイズプラス干渉比（Ｅｃｐ／Ｎｔ）に部分的に基づいている［１６］に記載の通信装置。
［１８］前記チャネル条件またはジオメトリパラメータは、ダウンリンク電力、アップリンク電力、追跡ループエラー、検出した市街地の条件、または、ドップラーパラメータに基づいている［１６］に記載の通信装置。
［１９］前記チャネル条件または前記ジオメトリパラメータに部分的に基づいて、ステップ利得パラメータをインクリメント的に増加または減少させることをさらに含む［１８］に記載の通信装置。
［２０］復調器コンポーネント、サーチャーコンポーネント、レイク、イコライザ、あるいは、フィンガーコンポーネントにしたがって、前記周波数追跡ループ利得または前記時間追跡ループ利得を自動的に調節することをさらに含む［１６］に記載の通信装置。
［２１］高いジオメトリ、低いジオメトリ、または、静止を含む動作条件を解析し、前記動作条件を考慮して、レイクあるいはイコライザにおける利得を最適化することをさらに含む［１６］に記載の通信装置。
［２２］チャネルステータスインジケータ（ＣＳＩ）を解析して、複数入力複数出力（ＭＩＭＯ）システムに対するフィードバックレートを最適化する［２１］に記載の通信装置。
［２３］ジオメトリ条件を解析して、最適な時間追跡ループ利得または最適な周波数追跡ループ利得を決定することをさらに含む［２１］に記載の通信装置。
［２４］時間偏差または周波数偏差を解析して、最適なループ利得を決定することをさらに含む［２３］に記載の通信装置。
［２５］時間追跡ループを調節して、レイクタイミング変動を緩和すること、または、周波数追跡ループを調節して、チャネルインパルス応答（ＣＩＲ）を最適化することをさらに含む［２４］に記載の通信装置。
［２６］通信装置において、
ワイヤレス通信からの１つ以上のジオメトリパラメータを処理する手段と、
前記ジオメトリパラメータに部分的に基づいて、１つ以上のチャネル条件を解析する手段と、
前記チャネル条件または前記ジオメトリパラメータを考慮して、ワイヤレス受信機における周波数追跡ループ利得または時間追跡ループ利得を選択する手段とを具備する通信装置。
［２７］前記チャネル条件は、パイロットチップのエネルギー対総受信エネルギーパラメータ（Ｅｃｐ／Ｉｏ）、信号対ノイズ比（ＳＮＲ）、または、パイロットエネルギー対ノイズプラス干渉比（Ｅｃｐ／Ｎｔ）に部分的に基づいている［２６］に記載の通信装置。
［２８］適応ステップ制御のためのコードを含むコンピュータ読取可能媒体を具備するコンピュータプログラムプロダクトにおいて、
前記コードは、
コンピュータに、ワイヤレス通信からの複数のジオメトリパラメータを監視させるためのコードと、
コンピュータに、複数のジオメトリパラメータに部分的に基づいて、１つ以上のチャネル条件を処理させるためのコードと、
コンピュータに、前記チャネル条件あるいは前記複数のジオメトリパラメータを考慮して、ワイヤレス受信機における周波数追跡ループ利得または時間追跡ループ利得を調整させるためのコードとを含むコンピュータプログラムプロダクト。
［２９］前記チャネル条件は、パイロットチップのエネルギー対総受信エネルギーパラメータ（Ｅｃｐ／Ｉｏ）、信号対ノイズ比（ＳＮＲ）、または、パイロットエネルギー対ノイズプラス干渉比（Ｅｃｐ／Ｎｔ）に部分的に基づいている［２８］に記載のコンピュータプログラムプロダクト。
［３０］通信装置において、
ワイヤレス通信からの１つ以上のチャネル条件パラメータを決定する復調器コンポーネントと、
前記チャネル条件パラメータにしたがって、時間追跡パラメータまたは周波数エラーパラメータを解析するフィンガーコンポーネントと、
前記時間追跡パラメータ、前記周波数エラーパラメータ、または、前記チャネル条件パラメータを考慮して、ワイヤレス受信機における周波数追跡ループ利得あるいは時間追跡ループ利得を自動的に調節する共通パイロットプロセッサとを具備する通信装置。
［３１］前記共通パイロットプロセッサは、モデムデジタル信号プロセッサ（ＭＤＳＰ）に動作可能に結合され、前記ＭＤＳＰは、復調、チャネル品質推定、または、フィンガー管理を可能にする［３０］に記載の通信装置。
［３２］前記ワイヤレス受信機における前記周波数追跡ループ利得または前記時間追跡ループ利得を調節するサーチャーコンポーネントをさらに具備する［３０］に記載の通信装置。
［３３］無線周波数（ＲＦ）プロセッサ、低ノイズ増幅器、自動化利得制御、送信機コンポーネント、または、前記ワイヤレス受信機における前記周波数追跡ループ利得または前記時間追跡ループ利得を調節する汎用プロセッサをさらに具備する［３０］に記載の通信装置。
【図１】
0006099869.tif 000002
【図２】
0006099869.tif 000003
【図３】
0006099869.tif 000004
【図４】
0006099869.tif 000005
【図５】
0006099869.tif 000006
【図６】
0006099869.tif 000007
【図７】
0006099869.tif 000008
【図８】
0006099869.tif 000009
【図９】
0006099869.tif 000010
【図１０】
0006099869.tif 000011
【図１１】
0006099869.tif 000012
【図１２】
0006099869.tif 000013
【図１３】
0006099869.tif 000014
【図１４】
0006099869.tif 000015